(57)【特許請求の範囲】
【請求項１】
鋼材から成る上枠（４ａ）と下枠（４ｂ）とを補強鋼材（４ｃ）で連結した枠体（４）と、外面材としてのセメント板層（２）と、内面材としての断熱層（３）とを含み、セメント板層（２）は、上下端部を上枠（４ａ）及び下枠（４ｂ）にＺクリップ（７）を介して取付け、断熱層（３）は、上枠（４ａ）及び下枠（４ｂ）の内面をＺクリップ（７）を含めて耐水性を有する耐火被覆材（９）で被覆して枠体（４）内面に断熱層（３）を充填発泡一体化した断熱複合パネル。
【請求項２】
上枠（４ａ）及び下枠（４ｂ）が等辺山形鋼であり、補強鋼材（４ｃ）が上枠（４ａ）及び下枠（４ｂ）の立上り辺（４Ｆ）の幅（４Ｔ）中央部を上下に連結固定している請求項１の断熱複合パネル。
【請求項３】
セメント板層（２）の内面と断熱層（３）との界面には、シート材（８）を介在し、断熱層（３）のセメント板層（２）との凝固接着を防止した請求項１又は２の断熱複合パネル。
【請求項４】
セメント板層（２）が外気導通用の通気層（２ｈ）を備え、一側端には突起（２２）を、他側端には凹部（２１）を備えている請求項１乃至３のいずれか１項の断熱複合パネル。
【請求項５】
外面材としてのセメント板層（２）が複数枚の成形セメント板（２Ｐ）の並列接続である請求項１乃至４のいずれか１項の断熱複合パネル。
【請求項６】
各成形セメント板（２Ｐ）相互の並列接続が、一側端の突起（２２）と他側端の凹部（２１）との不燃パッキング（２３）を介在した当接接続である請求項５の断熱複合パネル。
【請求項７】
補強鋼材（４ｃ）を、各セメント板（２Ｐ）の幅（２Ｗ）の中央部で上下枠（４ａ，４ｂ）間に配置した請求項５又は６の断熱複合パネル。
【請求項８】
補強鋼材（４ｃ）が平鋼板であり、複数の平鋼板（４ｃ）が断熱層（３）の厚み（３Ｔ）の中間部で上下枠（４ａ，４ｂ）間を連結し、且つ断熱層（３）と一体化している請求項１乃至７のいずれか１項の断熱複合パネル。
【請求項９】
上枠（４ａ）及び下枠（４ｂ）の各立上り辺（４Ｆ）が取付孔（Ｈ１，Ｈ２，Ｈ３，Ｈ４）を備えている請求項１乃至８のいずれか１項の断熱複合パネル。
【請求項１０】
断熱層（３）が表面に条片下地材（５）を平行に埋設露出している請求項１乃至９のいずれか１項の断熱複合パネル。
【請求項１１】
条片下地材（５）の表面（５ｆ）が，断熱層表面（３ｆ）から突出している請求項１０の断熱複合パネル。
【請求項１２】
条片下地材（５）は、上下方向配置であって、上端がパネル上端面（Ｆｔ）と間隔（Ｄ１）を、下端がパネル下端面（Ｆｂ）と間隔（Ｄ２）を有する請求項１０又は１１の断熱複合パネル。
【請求項１３】
条片下地材（５）は、断面台形のプラスチック材や木材等の非金属材であって、パネル上端面（Ｆｔ）から間隔（Ｄ１）を、パネル下端面（Ｆｂ）から間隔（Ｄ２）を保って横方向に、且つ、台形の上辺面を突出させて平行配置した請求項１０又は１１の断熱複合パネル。
【発明の詳細な説明】
【０００１】
【発明の属する技術分野】
本発明は、鉄骨造建築物や、鉄筋コンクリート造建築物に好適に使用出来る外壁用の断熱複合パネルに関するものであり、建築技術分野に属するものである。
【０００２】
【従来の技術】
鉄筋コンクリート造建築物にあっては、外断熱工法として、断熱複合パネルをコンクリート壁などの躯体に型枠併用として配置し、コンクリート壁などと一体化して外壁を形成しており、断熱複合パネルを帳壁として単体で採用することはなかった。
また、鉄骨造建築物にあっては、従来よりパネルを鉄骨造躯体に帳壁として取付ける工法が採用されており、本出願人等が特願平９−１５２６２８号として提案し、特許第２９９９９８０号として特許登録されている断熱複合パネルである。
【０００３】
図９は、特許第２９９９９８０号のパネルであって、該パネルは、上枠、下枠及び両側枠から成る枠体の外面に、貫通孔を有する成形セメント板の３枚を並列接続した形態でＺクリップを介して止着し、枠体の内面には内装板（石膏ボード）を配置し、硬質ウレタンフォームの枠体内への注入充填発泡によって、セメント板、枠体、及び内装板を、硬質ウレタンフォーム断熱層によって一体化したものであり、鉄骨造建築物の帳壁パネルとして採用すれば、セメント板に対する断熱層の現場での吹付け作業も、内装面材の取付け作業も不要となり、建築工期の大幅な短縮化を可能とする、極めて有用な複合パネルである。
【０００４】
【発明が解決しようとする課題】
しかし、従来の断熱複合パネル（図９）にあっては、鉄骨造躯体へ帳壁として取付ける際に、クレーン等で吊上げて配置するが、吊上げ時のパネル変形防止のため、また、製作時の硬質ウレタンフォームの注入発泡時の堰止めのために側枠は必要不可欠であるが、側枠部が熱橋となって断熱機能を低下するため、側枠に対する煩雑な熱橋阻止手段（図９の緩衝体付設）を施す必要があった。
また、一体化された内装面材（石膏ボード）は、施工取扱中に欠損や汚染の損傷を受ける危険があり、特に、吸水によってカビを発生させることが多く、内装面材上に新規面材を貼着仕上げしても、カビの内部からの繁殖伝播によって後日に汚れの発現、及びアトピー等の健康問題があった。
【０００５】
また、本出願人が、先に開発に成功し、特願２００１−０２５１４２号として提案した、断熱複合パネルを単体で帳壁とする鉄筋コンクリート造建築物に、該断熱パネル（図９）を適用すれば、石膏ボード（内装面材）が床スラブに当接するため、コンクリートの配合水を吸水してカビを発生させる問題がある。
更に、断熱層の発泡凝固時の自己接着力によって、セメント板の枠体への係止部のＺクリップが固定され、枠体、セメント板、及び内装面材相互も固定されて複合パネル内での層間変位の吸収作用が生じないため、石膏ボード（内装面材）、特に石膏ボードの連結部に亀裂の発生する問題がある。
【０００６】
本発明は、特許第２９９９９８０号の断熱複合パネル（図９）の、上述の如き、鉄骨造建築物の帳壁として適用する際の種々の問題点を解決、又は改善すると共に、鉄筋コンクリート造建築物の帳壁外壁パネルとしても有効に採用出来る、新規、且つ実用性の極めて高い断熱複合パネルの提供を可能とするものである。
【０００７】
【課題を解決するための手段、及び作用】
本発明断熱複合パネルは、例えば図１に示す如く、鋼材から成る上枠４ａと下枠４ｂとを補強鋼材４ｃで連結した枠体４と、外面材としてのセメント板層２と、内面材としての断熱層３とを含み、セメント板層２は、上下端部を上枠４ａ及び下枠４ｂにＺクリップ７を介して取付け、断熱層３は、上枠４ａ及び下枠４ｂの内面をＺクリップ７を含めて耐水性を有する耐火被覆材９で被覆して枠体４内面に断熱層３を充填発泡一体化したものである（請求項１）。
尚、枠体４は、断熱層の充填発泡時の発泡圧に耐え、且つ充填剤の堰止め作用をすると共に、セメント板をも強固に保持する必要があるため、上下枠は、図２の如く、Ｚクリップ係止辺（水平辺）と堰止め立上り辺とを備えたアングル鋼材が好ましく、補強鋼材４ｃは上下枠と共に剛体枠を形成するため、上下枠間に複数本、平行に配置するのが好ましい。
【０００８】
この場合、耐火被覆材は、耐火性、耐水性、断熱性、吸音性、遮音性に富み、且つ、鋏（ハサミ）やナイフで簡単に切断出来る材料、例えば、カオウール（イソライト工業（株）商品名）等の採用が好適である。
この場合、断熱層３は吸水性が小さく、コンクリート付着性の高い慣用のプラスチック系材であれば良く、特許第２９９９９８０号パネル（図９）に採用した硬質ウレタンフォームが採用出来、セメント板層２としても公知パネル（図９）のセメント板の採用が可能である。
【０００９】
従って、断熱層３の充填発泡固化によって耐火被覆材９は、Ｚクリップや上下枠を被覆して寸法安定化し、本発明の断熱複合パネルは、外面のセメント板層２による外側からの耐火機能と、断熱材層３からの内側からの耐火機能を具備したため、断熱性、耐火性に優れた耐火建築物の帳壁としての採用が可能である。
しかも、Ｚクリップ係止部は、耐火被覆材９によって断熱層３による固定を免れ、Ｚクリップの変位吸収機能（地震等の大応力を受けた際の層間変位許容機能）の発揮が可能であるため、本発明の断熱複合パネルは、地震時のセメント板層の亀裂、落下の抑制出来る耐震性の帳壁としての採用が可能である。
【００１０】
そして、補強鋼材４ｃは、強度面では従来の側枠の機能を奏して側枠を不要としたため、本発明断熱複合パネルは、パネルの建付け施工時にもパネル変形を生じない剛構造体でありながら従来パネル（図９）の如き鋼材側枠が存在せず、側枠からの熱橋作用は発生しない。
しかも、パネル１の内面は、従来のパネルの如き内装面板（石膏ボード）が存在せず、耐水性を有する耐火被覆材と吸水性のない断熱層３が表出しているため、例えば、図７に示す如く、本発明パネルを鉄筋コンクリート建築に於ける帳壁パネルに採用しても、床スラブコンクリートからの吸水による断熱複合パネルの内表面でのカビ発生は抑制出来る。
【００１１】
また、断熱複合パネルの枠４は、上枠４ａ及び下枠４ｂが等辺山形鋼であり、補強鋼材４ｃが上枠４ａ及び下枠４ｂの立上り辺４Ｆの幅４Ｔ（図２）中央部を上下に連結固定するのが好ましい。
この場合、補強鋼材４ｃは、上枠４ａと下枠４ｂとを剛構造一体化出来、且つ、充填発泡断熱層３のパネル面からの浮上りが阻止出来れば良く、表面形状は、断熱層３を付着保持する平板形態、異形断面鋼材等、断熱層３と強固に一体化出来る形態が好ましい。
等辺山形鋼は、曲げ剛性に優れている上、入手も容易であり、且つアングルの一辺をセメント板止着当接面とし、他辺を断熱層３の堰止め型枠及びパネル取付端面と出来るので有利である。
しかも、補強鋼材４ｃが、図２（Ａ）の如く、断熱層３及び被覆材９の層の中央部に位置するため、断熱層３及び耐火被覆材９の浮上りを好適に阻止出来る。
【００１２】
また、セメント板層２の内面と断熱層３との界面には、シート材８を介在し、断熱層３のセメント板層２との凝固接着を防止するのが好ましい。
この場合、シート材８は断熱層３のセメント板面に対する接着一体化を阻止出来れば良く、通常のクラフト紙の採用が可能である。
従って、断熱層３とセメント板層２との層間変位が可能となり、Ｚクリップの層間変位吸収機能が支障なく発揮出来るため、セメント板層が躯体の地震、強風等の動きに追従して変位を吸収し、セメント板層の亀裂、脱落が抑制出来る。
【００１３】
また、本発明断熱複合パネル１にあっては、セメント板層２が外気導通用の通気層２ｈを備え、一側端には突起２２を、他側端には凹部２１を備えているのが好ましい。
尚、通気層としては、従来の慣用の外壁コンクリート型枠兼用のセメント板（図示せず）の如くセメント面内面に多数の条溝を並設したものでも良い。
従って、本発明複合パネルは、結露防止の通気層を備え、且つ、断熱性、耐震性、及び耐火性を備えたものとなり、パネル端縁での突起２２と凹部２１との存在によってパネル間接続も、目地への耐火性充填材（シーリング）付与もきれいに仕上がる、汎用性ある有用な断熱複合パネルとなる。
【００１４】
また、外面材としてのセメント板層２が複数枚の成形セメント板２Ｐの並列接続であるのが好ましい。
外壁材としてのセメント板は、押出成形体をローラー上を移動させてオートクレーブ室で養生させるが、衝撃によるひび割れや、養生の際の反りの発生等、製造面からは幅は狭いほうが有利であり、従って、コスト面、品質面で有利な幅狭のセメント板を入手して複数枚を必要パネル幅に接続するのが有利であり、本発明の耐震性、耐火性、及び断熱性を備えた高性能パネルの所望のパネル幅での提供が可能となる。
【００１５】
また、セメント板層２として複数枚のセメント板２Ｐを並列接続する場合には、各成形セメント板２Ｐ相互の並列接続を、図３（Ｂ）の如く、一側端の突起２２と他側端の凹部２１との不燃パッキング２３を介在した当接接続とするのが好ましい。
尚、不燃パッキング２３は両面接着タイプが好ましく、例えば、ＳＣブランケット（新日鉄化学（株）商品名）の採用が可能である。
この場合、耐火性のセメント板２Ｐ相互の接続部にも耐火性が付与出来るため、建物外側からの火災に対応出来、耐火性外壁の形成に有効である。
【００１６】
また、本発明パネル１で、複数枚の成形セメント板２Ｐを並列配置する場合には、補強鋼材４ｃを、各セメント板２Ｐの幅２Ｗの中央部で上下枠４ａ，４ｂ間に配置するのが好ましい。
この場合、補強鋼材４ｃが重量物としての各セメント板２Ｐを中央部で支承保持するため、上下枠での各セメント板２Ｐの機械的（力学的）保持がスムーズとなり、上下枠４ａ，４ｂ及び補強鋼材４ｃの過大重量化、即ち枠体４の重量化が抑制出来る。
【００１７】
また、補強鋼材４ｃとしては、平鋼板４ｃを用い、複数の平鋼板４ｃが断熱層３の厚み３Ｔ中間部で上下枠４ａ，４ｂ間を連結し、且つ断熱層３と一体化しているのが好ましい。
補強鋼材４ｃは、上下枠間の堅結補強と共に、断熱層３の浮上り阻止機能の期待されるものであるので、平鋼板４ｃは、入手容易、且つ連結容易であると共に、表裏の広い平面で充填発泡断熱層３と一体化して断熱層３の保持力も十分発揮する。しかも、断熱層３の厚さ中間部に埋設形態であるため、断熱層３と強固に一体化すると共に、熱橋作用も生じない。
【００１８】
また、平鋼板４ｃは、必要に応じて、断熱層３保持用の平板や丸棒鋼片を表面に差し渡し状に溶接する場合にも、付設取付作業が容易である。
勿論、平鋼板４ｃは、補強機能の力学的観点からは上下枠４ａ，４ｂに対して左右対称に，且つ上下枠とで方形枠を形成するように配置するのが好ましく、例えばセメント板層２が１枚のセメント板２Ｐの場合でも、少なくとも、上下枠の中央部、及び両側近傍に対称配置するのが好ましい。
【００１９】
また、本発明パネル１にあっては、上枠４ａ及び下枠４ｂの各立上り辺４Ｆが取付孔Ｈ１，Ｈ２，Ｈ３，Ｈ４を備えているのが好ましい。
図４の如く、上枠４ａには連結ピンＭＰ（図７）締着用の孔Ｈ２を、下枠４ｂには上枠４ａの孔Ｈ２に対応する孔Ｈ１を予め配置しておくことにより、断熱複合パネル１相互の上下連結が容易となる。
勿論、施工現場での取付孔穿孔も可能であるが、例えば、鉄骨造建築物の外壁パネルに採用する際にも、梁等の被固定材と対応した取付孔Ｈ１〜Ｈ４を配設しておけば、現場でのパネル取付作業が合理化出来る。
そして、枠体の取付孔は、パネル吊下げアイボルトの取付けや、断熱層３充填用の型枠（仕切板）締着孔、及び充填注入孔としての利用も可能である。
【００２０】
また、本発明断熱複合パネルにあっては、断熱層３が表面に条片下地材５を平行に埋設露出しているのが好ましい。
この場合、「埋設露出」は、埋設されてはいるが、表面が断熱層表面３ｆから露見出来る形態も、表面が断熱層表面３ｆから突出している形態も含む意味である。
そして、条片下地材５は、断熱層３への埋設によって断熱機能を低下させないことと、下地材に釘打ち等で止着した面板を保持することが必要機能であるため、なるべく細幅で、断熱層中の占有体積が少ないものが良く、図６の如く、アンカー部５０を備えた溝型材や、断面台形のプラスチック条片（図示せず）等が採用可能である。
【００２１】
従って該パネルは、必要な時、場所で、断熱層３に内装面板（図示せず）の下地材５を介した張設が可能であるため、例えば、鉄骨造建築への適用等、パネル内面の汚れの心配のない場合には、パネル下地材に所定の内装面板を予め止着して壁パネルとして施工することも、或いは、鉄筋コンクリート造建物の帳壁に採用する場合等、パネル内面に汚れやカビの発生する場合には、外壁として複合パネル１を張設後、下地材上へ必要内装面板を止着することも可能となり、断熱複合パネルとしての汎用性が高まる。
【００２２】
また、条片下地材５の表面５ｆが，断熱層表面３ｆから突出しているのが特に好ましい。
この場合、内装面板（図示せず）を条片下地材に取付ければ、内装面板と断熱層表面３ｆとの間には下地材５の突出による空隙空気層が存在し、内装面板と断熱層３との音の共振現象が阻止出来、遮音性が高まる。
【００２３】
また、条片下地材５は、上下方向配置であって、上端がパネル上端面Ｆｔと間隔Ｄ１を、下端がパネル下端面Ｆｂと間隔Ｄ２を有しているのが好ましい。
この場合の間隔Ｄ１，Ｄ２は、それぞれ対象建物への施工性を勘案して設定すれば良く、例えば、パネルを図７に示す如く、鉄筋コンクリート造建物の帳壁パネルとして採用する場合は、Ｄ１は、下地材上端が上階床スラブＳの型枠下端より下方で、型枠組付け作業に干渉しない位置とし、Ｄ２は、下地材下端が下方床スラブ上面Ｓｆより若干上方で、床スラブ表面Ｓｆの不陸に対処出来る位置とするものである。
勿論、鉄骨造建物の帳壁パネルとして採用する場合は、梁等の躯体取付部を外して内装面板の張設に必要な位置にのみ下地材５が存在するように間隔Ｄ１，Ｄ２を設定すれば良い。
【００２４】
従って、鉄筋コンクリート造建築に本発明パネルを採用すれば、図７に示す如く、パネル下端面Ｆｂは、雨水の床スラブ上面Ｓｆへの侵入を阻止するため、床スラブ上面Ｓｆより若干（標準１０ｍｍ）下方位置としても、突出下地材５の下端と床スラブ上面Ｓｆとは間隙ｄｂが存在することとなり、床スラブ上面Ｓｆの不陸面への対処取付が可能となる。
また、突出下地材５の上端も、上階床スラブ型枠組みでの型枠との干渉を避けることが可能であり、断熱複合パネル１の上端部の型枠組み作業が容易となる。
【００２５】
また、内装工事に於ける電気配線は、床から取出して上下方向に配向するため、条片下地材５が上下方向配置であれば、下地材５に対する電気配線のための切欠きが不要となり、電気配線工が容易となる。
しかも、下地材５を断熱層表面３ｆから突出させておくことにより、断熱層３と下地材に張設した内装面板とのスペースが電気配線スペースとなり、断熱層３に対する電気配線施工での切欠が最小限に抑制出来る。
【００２６】
また、条片下地材５は、断面台形のプラスチック材、木材等の非金属材であって、パネル上端面Ｆｔから間隔Ｄ１を、パネル下端面Ｆｂから間隔Ｄ２を保って横方向に、且つ、台形の上辺面を突出させて平行配置するのが好ましい。
この場合、埋設下地材５の断面台形の傾斜面が断熱層３に対するアンカー部として機能し、下地材５の断熱層３に対する強固な一体化保持が達成出来る。
また、プラスチック又は木材等の非金属材は、鋸で容易に切断出来、且つ熱不良導体を意味するものである。
【００２７】
従って、下地材５は、入手容易でコスト面で有利であると共に、熱橋作用を生ずる恐れもない。
そして、上枠４ａとは間隔Ｄ１を、下枠４ｂとは間隔Ｄ２を保った配置であるため、図７の如く、パネル１の上端の床スラブ型枠への組付け時、及びパネル１下端の床スラブＳ上への取付け時に、下地材５の干渉が避けられ、パネル取付作業が容易となる。
しかも、内装面板の張設も、下地材５が横方向配置であるため、慣用の長い短形の石膏ボード（内装面板）を縦方向にして並列配置する、作業性の良い縦貼り作業で遂行出来、作業性が良い。
そして、下地材５が横方向配置であれば、内装配線工事で下地材５の一部切欠の必要が生じても、非金属材であるため鋸等による切欠処理が容易である。
【００２８】
【発明の実施の形態】
〔セメント板層（図３）〕
図３（Ａ）に示す如く、セメント板層２は、３枚の成形セメント板２Ｐの並列接続で構成する。
各成形セメント板２Ｐは、幅２Ｗが５９０ｍｍで長さＬ１が２８８０ｍｍ、厚さ２Ｔが６０ｍｍであり、１側端には突起２２を、他側端には凹部２１を備え、長さ方向の貫通孔２ｈを備えている。
これら成形セメント板２Ｐの並列接続は、各凹部２１の底に、図３（Ｂ）の如く、両面接着性不燃パッキング２３として厚さ１２．５ｍｍのＳＣブランケット（新日鉄化学（株）商品名）を充填して各突起２２を不燃パッキング２３に当接すると共に、セメント板２Ｐの内側の板厚部Ｐｔ端縁間にも両面接着性を有する断熱材２５を充填して接続する。
尚、各成形セメント板２Ｐの接続部表面は、パネル張設後の目地仕上げ時に、図３（Ｂ）の如く、バッカ−２４´を介してシーリング２４を施す。
【００２９】
〔枠体４（図１、図４）〕
辺幅４Ｔが７５ｍｍで厚さ６ｍｍの等辺山形鋼（アングル鋼）から成る長さ１７７０ｍｍの上枠４ａ及び下枠４ｂ間に、幅５０ｍｍで厚さ６ｍｍの平鋼板４ｃを、３枚の各成形セメント板２Ｐの幅２Ｗの中央部に位置するように、且つ、上面が上下枠の立上り辺４Ｆの上端より３０ｍｍ下方となるように溶接固定する。
また、上枠４ａには、各平鋼板４ｃの両側に１対の取付孔Ｈ２（ネジ孔）と、両端部の吊上げ時のアイボルト（図示せず）締着用孔Ｈ３とを設け、下枠４ｂには、上枠４ａの取付孔Ｈ２の対応位置に取付孔Ｈ１（ピン孔）を、両端部にはボルト締着孔Ｈ４を設ける。
【００３０】
〔仕切板６（図５、図６）〕
仕切板６は、断熱複合パネル１を同時に複数枚製作する際に、下地材５を保持して枠体４に取付け、断熱層３を充填発泡するための型枠である。
即ち、仕切板６は、厚さ２４ｍｍの構造用材６ａの上面に離型用のポリエチレン板６ｂを貼ったものであり、両側には、該仕切板６を切断した型枠機能を奏するための立上り辺（側板）６Ｓを固定したものである。
また、仕切板６の上面には、幅Ｗ５の条片下地材５用の溝６Ｇを配設し、図６（Ｂ）の如く、先端にアンカー部５０を有する断面コ字状鋼板の下地材５を、表面５ｆを溝６Ｇの底面に当接し、下地材５が仕切板６から落下しない程度に両面接着テープ細片等で仮保持する。
【００３１】
〔断熱複合パネルの製作〕
成形用プレス台ＢＰ上に成形セメント板２Ｐを３枚並列接続してセメント板層２として載置し、図２の如く、セメント板２Ｐの上部及び下部には、内側の板厚部Ｐｔにボルト挿入孔ＨＰを穿孔して貫通孔２ｈの内側に平ナット７ａを当接し、Ｚクリップ７のボルト挿入用長孔（幅１２ｍｍ、長さ３０ｍｍ）にボルト７ｃを挿入して図４（Ｂ）の矢印Ｒの如く、Ｚクリップを回動可能に仮固定する。
次いで、セメント板層２上に載置した枠体４の上枠４ａ及び下枠４ｂの水平辺４ＨにＺクリップを回動係止してボルト７ｃを締着し、Ｚクリップ７は大応力を受ければ長孔によって変位可能に固定する。
【００３２】
また、セメント板層２上にはクラフト紙８を布設し、図１、図２に示す如く、上枠４ａ及び下枠４ｂの断熱層側、及びＺクリップ部に柔軟性のある繊維系の耐火被覆材９、即ち、耐火、耐水、断熱、吸音、遮音機能に優れ、ハサミやナイフで簡単に切断出来るブランケット状の繊維系不燃材（商品名、カオウール、イソライト工業（株）製）を被覆する。
この場合、平鋼板４ｃの基部の包み込みは、耐火被覆材に切れ目を入れると容易であり、上下枠から延出したＺクリップ７は、耐火被覆材９に図１の如く、突出部９´を付設すればよい。
【００３３】
また、枠体４上には、下地材５を仮保持した仕切板６を、図６（Ａ）の如く、下地材５が枠体４内に突出する形態に、且つ、仕切板側板（立上り辺）６Ｓが枠体４の側枠形態となるように載置し、上枠４ａ及び下枠４ｂ端でコーナー金具１２の、１片１２Ｓを仕切板側板（立上り辺）６Ｓに、他片１２Ｌを上枠４ａ、下枠４ｂに当接して、各コーナー金具１２の長孔Ｈ５を介して仕切板６と上下枠４ａ，４ｂとを固定する。
【００３４】
尚、仕切板側板６Ｓと金具１２との固定は、側枠６Ｓの外面に座金を配置して慣用のボルト締着し、上下枠４ａ，４ｂと金具１２との固定は、上枠のアイボルト用のネジ孔Ｈ３及び下枠４ｂのボルト取付孔（ネジ孔）Ｈ４を介してボルト締着し、第１段目の複合断熱パネル成形型Ｄｐとする。
次いで、同様の成形型Ｄｐを図６（Ｃ）の如く、順次複数段プレス台Ｂｐ上に重ねてプレス体Ｔｐで型締めし、各成形型中の上枠４ａ（下枠４ｂ）の取付孔Ｈ２（Ｈ１）から発泡ウレタン樹脂を注入充填し、発泡硬化する。
【００３５】
断熱層３としての硬質ウレタンフォームが硬化冷却した後、プレス体Ｔｐを開放して各成形型Ｄｐのコーナー金具１２を取外して仕切板６を取外せば、硬質ウレタンフォーム（断熱層）３が平鋼板４ｃ、クラフト紙８及び耐火被覆材９と一体化固着した本発明の断熱複合パネル１が得られる。
尚、仕切板６の取外しに際しては、側板６Ｓの内面及び仕切板内面が離型板としてのポリエチレン板６ｂを備えているため容易に離型する。
また、条片下地材５も、仕切板の溝６Ｇの深さｔ１で突出し、深さｔ２で断熱層３中に埋設し、アンカー部５０で強固に保持される。
【００３６】
〔断熱複合パネル１の使用（図７、図８）〕
上述の実施形態で得られる断熱複合パネル１は、本発明者が特願２００１−０２５１４２号として先に提案した新規な鉄筋コンクリート造外断熱建築物に適用すれば、極めて有効なものである。
即ち、図７に示す如く、断熱複合パネル１の下端を、コンクリート床スラブＳ前端に固定した取付金物Ｍから突出した連結ピン（取付ピン）ＭＰにパネル下枠４ｂの取付孔Ｈ１を挿通して、パネル下端面Ｆｂが床スラブ表面Ｓｆより下方で、雨水のパネル下端から床スラブ表面Ｓｆへの侵入を阻止するように取付け、パネル１の上端を、図７（Ｂ）に示すごとく、上階の床スラブ型枠内に組付けた取付金物Ｍと連結ピンＭＰによって係止する。
【００３７】
この場合、条片下地材５は、下端では、パネル下端Ｆｂと間隔Ｄ２を、上端では、パネル上端と間隔Ｄ１を有するため、下地材５は、下方床スラブＳの表面Ｓｆに不陸があっても間隙ｄｂの存在によって対処出来、上階床スラブ型枠の組立て時にも間隔Ｄ１の存在により下地材５の干渉なしに型枠組み作業が容易に実施出来る。
そして、上階床スラブ型枠内へのコンクリート打設に際しても、耐火被覆材９及び断熱層３がコンクリート付着性大で吸水性小であるため、パネル１が床スラブＳと隙間なく一体化し、コンクリート打設によって断熱層表面３ｆにコンクリート配合水が流出付着しても、床スラブ型枠解体後の断熱層表面３ｆでのカビの発生はない。
【００３８】
そして、内装工事に際しては、断熱層表面３ｆからｔ１（図６）突出した下地材表面５ｆに石膏ボード（内装面板）を張設しても、石膏ボードに対する複合パネル１側からのカビの伝播による汚染は生じない。
また、下地材５の突出によって形成される断熱層表面３ｆと石膏ボード間の空隙層は電気配線スペースとして利用出来、配線工事に伴う断熱層の欠損は最小限に抑制出来る。
しかも、石膏ボードと断熱層表面３ｆとの空隙層は、石膏ボードと断熱層３との音の共振現象を抑制するため、共振現象による遮音性低下は阻止出来る。
尚、セメント板層２相互の継目、及びセメント板２Ｐ相互の継目は、パネル張設後の外装仕上げで、図３（Ｂ）の如く、バッカ−２４´を介した耐火シーリング２４による目地仕上げする。
【００３９】
従って、本発明パネルで形成した帳壁は、クラフト紙８によってセメント板層２と断熱層３との一体化固着が阻止してあるため、地震、強風等の作用を受けても、断熱層３はセメント板層２と層間変位が可能となり、断熱層内面に張設した内装面板の衝接端縁での亀裂や欠損が最小限に抑制出来る。
しかも、上枠、下枠及びＺクリップ部等が耐火被覆材９で保護されてＺクリップも断熱層３による一体化固定を免れているため、Ｚクリップによるセメント板層２と枠体４との層間変位吸収も可能であって、地震時のセメント板層２の変位を吸収することにより、セメント板層２の亀裂の発生や欠損も防止出来て好適な耐震外壁となる。
その上、セメント板２Ｐの継目も不燃パッキング２３を備えているため、該パネルで構築した外壁は、目地部の不燃パッキング２３による外側からの火災にも、耐火被覆材９による内側からの火災にも対処した防火外壁とも成る。
【００４０】
また、該断熱複合パネル１は、従来の鉄骨造建築物の帳壁として採用しても、下地材５がパネル上端部及び下端部で間隔Ｄ１，Ｄ２を有するため、パネルの鉄骨造躯体への取付けは、下地材５の干渉なく実施出来ると共に、所望時点でのきれいな内装面板の張設となり、しかも、内装面板と断熱層３との下地材５を介した空隙層の存在によって遮音性の低下が抑制出来る。
勿論、鉄骨造建物の帳壁に採用しても、好適な耐震性、及び耐火性を備えた外壁となる。
従って、該断熱複合パネル１は、鉄筋コンクリート造建築物の帳壁パネルとしても、鉄骨造建築物の帳壁パネルとしても耐震性及び耐火性外壁が得られ、極めて優れた断熱複合パネルとなる。
【００４１】
〔その他〕
枠体構成材としての複数の縦設平鋼板４ｃ相互を横方向に鋼板又は鋼棒等で連結固定すれば断熱層３の浮上り阻止が確実となる。
また、仕切板６として、表面平滑なステンレス鋼を採用すれば、枠体４への取付け及び成形型の組付けが容易となると共に、条片下地材５の仮保持もネジ手段により容易となる。
また、必要に応じて、下枠４ｂ適所に立上り辺４Ｆの反対方向に支承鉄板を延出固定し、支承鉄板でセメント板層２を受けるようにすれば、セメント板層２の重力はＺクリップと支承鉄板とで支持されるようになり、セメント板層２の枠体４からの脱落が完全に阻止出来る。
また、非金属材の条片下地材５は、上下方向配置としても下地材としての所期の目的は達成出来る。
【００４２】
【発明の効果】
鋼材から成る枠体４が上枠４ａ、下枠４ｂ及び断熱層３中に埋設する補強鋼材４ｃのみであるため、熱橋防止は処理の容易な上枠及び下枠のみとなり、断熱機能低下の少ない断熱パネルとなる。
また、上枠４ａ、下枠４ｂの内面及びＺクリップが耐火被覆材で保護されているため、Ｚクリップは断熱層３による一体化固定を免れ、セメント板層２と枠体４との層間変位がＺクリップで吸収可能であって、耐震性及び耐火性を有する断熱複合パネルとなる。
【００４３】
また、セメント板層２と断熱層３との界面にはシート材８が存在してセメント板層２と断熱層３との一体化固定が阻止されているため、セメント板層２と断熱層３との層間変位が可能であり、地震や強風による枠体変位に伴うセメント板層２や断熱層３に固定した内装面板の亀裂発生が抑制出来る。
また、セメント板層２が複数のセメント板２Ｐを不燃パッキング２３を介して連接しているため、パネル外方からの火災に対しても耐火性を発揮する。
【００４４】
また、断熱層３が表面に条片下地材５を埋設露出しているため、パネル１の建付け後に内装面板を下地材５に張着することとなり、パネルの建付け施工時はパネル内面の汚染に配慮する必要がなく、施工が容易となる。
しかも、下地材５を断熱層表面３ｆより突出させたため、張設内装面板と断熱層表面３ｆとの間に空隙層が存在し、該空隙層は電気配線スペースとして利用出来ると共に、内装面板と断熱層３との音の共振現象を遮断して遮音機能が向上する。
【図面の簡単な説明】
【図１】本発明断熱複合パネルの一部切欠斜視図である。
【図２】本発明パネルの部分拡大図であって、（Ａ）は図１のＡ−Ａ線断面、（Ｂ）は図１のＢ−Ｂ線断面、（Ｃ）はＺクリップ取付部の斜視図である。
【図３】本発明パネルのセメント板層２の説明図であって、（Ａ）はセメント板２Ｐの並列接続状態図、（Ｂ）は（Ａ）のＢ部拡大図である。
【図４】本発明説明図であって、（Ａ）は断熱層を除いた斜視図、（Ｂ）及び（Ｃ）は、それぞれＺクリップ取付状態説明図である。
【図５】仕切板の説明図であって、（Ａ）は全体斜視図、（Ｂ）はコーナー金具斜視図、（Ｃ）はコーナー金具使用状態説明図である。
【図６】成形型の説明図であって、（Ａ）は１枚のパネル型のセット状態説明図、（Ｂ）は（Ａ）のＢ部拡大図、（Ｃ）は成形型の積層状態斜視図である。
【図７】本発明パネルの鉄筋コンクリート造建物の帳壁パネルへの使用状態説明図であって、（Ａ）はパネル上下端の固定状態を、（Ｂ）はパネル上端の床スラブ型枠への組付状態を示す図である。
【図８】本発明パネルを鉄筋コンクリート造建物に適用した状態の概略斜視図である。
【図９】従来例であって、（Ａ）はパネル全体斜視図、（Ｂ）は（Ａ）のＢ−Ｂ線断面図、（Ｃ）は（Ａ）のＣ−Ｃ線断面図である。
【符号の説明】
１：断熱複合パネル、                        ２：セメント板層、
２Ｐ：セメント板（成形セメント板）、        ２ｈ：貫通孔（通気層）、
３：断熱層、          ３ｆ：断熱層表面、    ４：枠体（枠）、
４ａ：上枠、          ４ｂ：下枠、          ４ｃ：補強鋼材（平鋼板）、
４Ｆ：立上り辺、      ４Ｈ：水平辺、
５：条片下地材（下地材）、                  ５ｆ：下地材表面、
６：仕切板、                                ６ａ：構造用合板、
６ｂ：ポリエチレン板（離型板）、            ６Ｇ：溝、
６Ｓ：仕切板側板（立上り辺）、
７：Ｚクリップ、                            ８：シート材（クラフト紙）、９：耐火被覆材、        ２１：凹部、        ２２：突起、
Ｄ１，Ｄ２：間隔
【図１】
0003577061.tif 000002
【図２】
0003577061.tif 000003
【図３】
0003577061.tif 000004
【図４】
0003577061.tif 000005
【図５】
0003577061.tif 000006
【図６】
0003577061.tif 000007
【図７】
0003577061.tif 000008
【図８】
0003577061.tif 000009
【図９】
0003577061.tif 000010